(57)【要約】      （修正有）【課題】居間のテーブルや食卓の上に置けることのできる日めくり服薬支援カレンダー及び卓上型日めくり服薬支援カレンダーセットを提供する。【解決手段】可撓性を有する平板状の日別カレンダー３を複数枚備えた日めくりカレンダー部３０と、日めくりカレンダー部３０の表側及び裏側にそれぞれ備えた硬質製部材からなる平板状のカバー板６と、を備え、日めくりカレンダー部３０は、服薬日の表示及び薬袋挿入用袋部を備えたＡ形態の日別カレンダー３と、服薬日の表示、服薬時間の表示及び薬袋挿入用袋部を備えたＢ形態の日別カレンダー４との組み合わせから構成され、あるいは、服薬日の表示、服薬時間の表示及び薬袋挿入用袋部備えたＢ形態の日別カレンダー４のみから構成され、カバー板６の下縁辺を前記Ｂ形態の日別カレンダー４の下縁辺よりさらに下方に長くする。【選択図】図３
2018196969.tif 000002
【特許請求の範囲】
【請求項１】
可撓性を有する平板状の日別カレンダーを複数枚備えた日めくりカレンダー部と、前記日めくりカレンダー部の表側及び裏側にそれぞれ備えた硬質製部材からなる平板状のカバー板と、を備え、
重ねた前記日めくりカレンダー部及び前記カバー板を貫通するようにそれぞれの上縁辺近傍に孔を設け、前記孔に環状の開閉可能なカードリングを貫通させて、前記カバー板又は前記日別カレンダーをそれぞれ重ねた順にめくれるようにし、
前記日めくりカレンダー部は、服薬日表示カード挿入袋部及び薬袋挿入用袋部を備えたＡ形態の日別カレンダーと、前記服薬日表示カード挿入袋部、服薬時間表示カード挿入袋部及び前記薬袋挿入用袋部を備えたＢ形態の日別カレンダーとの組み合わせから構成され、あるいは、前記Ｂ形態の日別カレンダーのみから構成され、
前記Ｂ形態の日別カレンダーは、前記Ａ形態の日別カレンダーより上下方向の長さを長くし、前記Ａ形態の日別カレンダーの下縁辺より下方に長い領域に前記服薬時間表示カード挿入袋部を設けるようにし、
前記カバー板の下縁辺を前記Ｂ形態の日別カレンダーの下縁辺よりさらに下方に長くし、前記Ｂ形態の日別カレンダーの下縁辺より下方に長い領域を前記日めくりカレンダー部を立設させる支持部材に挿入又は係止させる部位とすることを特徴とする日めくり服薬支援カレンダー。
【請求項２】
請求項１に記載の日めくり服薬支援カレンダーを支持部材に立設させる卓上型日めくり服薬支援カレンダーセットであって、
前記支持部材が、前記表側及び裏側のカバー板を側面視でハ字状にしたときに、前記表側及び裏側のカバー板の下端部を挿入可能な、側面視で上端側に開口部を有するハ字状の傾斜溝部を形成させた第一の形態、前記表側及び裏側のカバー板を側面視でハ字状にしたときに、前記表側及び裏側のカバー板の下端部の滑動を係止するストッパー部を設けた第二の形態、又は、前記表側及び裏側のカバー板を重ねて側面視で斜線状にしたときに、前記表側及び裏側のカバー板の下端部を挿入可能な、側面視で上端側に開口部を有する斜線状の傾斜溝部を形成させた第三の形態であることを特徴とする卓上型日めくり服薬支援カレンダーセット。
【請求項３】
前記第一又は第三の形態の支持部材の場合に、前記傾斜溝部の底部の位置とベース部との間を上下方向で離隔させて空間部を設けたことを特徴とする請求項２に記載の卓上型日めくり服薬支援カレンダーセット。
【発明の詳細な説明】
【技術分野】
【０００１】
本発明は、認知症患者が病院や薬局等で指定された時間帯に処方された薬を決められた量だけを忘れずに服薬できるように支援する日めくり服薬支援カレンダー及び卓上型日めくり服薬支援カレンダーセットに関する。
【背景技術】
【０００２】
特許文献１に、日めくりカレンダーにおいて、表示された日に服薬する薬を収納するための収納袋を接着する領域が表面に設けられた日めくりカレンダーが開示されている。
【０００３】
特許文献２に、報知時刻を受信する機能を備えた報知制御部とカレンダー機能を備えた時計機能部と、特定エリア枠を照明等で明示する表示部からなる装置制御部を装備し、時計機能部が示す当日の曜日に相当したエリア枠で明示し、正確な服薬箇所を一目瞭然で認識出来るデジタル表示と曜日・朝、昼、夕、寝る前別の一回分の薬を入れるポケットを有した薬カレンダーを一体化して使用する認知症患者及び高齢者など用の曜日点灯薬カレンダーが開示されている。
【先行技術文献】
【特許文献】
【０００４】
【特許文献１】実用新案登録第３１７９３６６号公報
【特許文献２】特開２０１６−８７３７４号公報
【発明の概要】
【発明が解決しようとする課題】
【０００５】
特許文献１に記載の考案は壁掛け型であるので、壁掛けは部屋の間取りや家具等によって壁掛けできる場所が制限されることから、必ずしも認知症患者が何気ないときにも眼がよくいく場所に壁掛けできずに、朝、昼、夜、寝る前といった服薬の時間になったときに認知症患者が見落とすことがあり、決められた時間に服薬されないという問題があった。
【０００６】
特許文献２に記載の発明は、認知症患者を対象にして１週間分の薬を入れて当日の曜日に該当する範囲を点灯させるが、壁掛け型であるので、壁掛けは部屋の間取りや家具等によって壁掛けできる場所が制限されることから、必ずしも認知症患者が何気ないときにも眼がよくいく場所に壁掛けできずに、朝、昼、夜、寝る前といった服薬の時間になったときに認知症患者が見落とすことがあり、決められた時間に服薬されないという問題があった。
【０００７】
本発明はこうした問題に鑑み創案されたもので、認知症患者がいつもの行動ルートの中で最もいて最も目が届く個所である居間のテーブルや食卓の上に置くことのできる日めくり服薬支援カレンダー及び卓上型日めくり服薬支援カレンダーセットを提供することを課題とする。
【課題を解決するための手段】
【０００８】
請求項１に記載の日めくり服薬支援カレンダー１は、可撓性を有する平板状の日別カレンダー３、４を複数枚備えた日めくりカレンダー部３０と、前記日めくりカレンダー部３０の表側及び裏側にそれぞれ備えた硬質製部材からなる平板状のカバー板５、６と、を備え、重ねた前記日めくりカレンダー部３０及び前記カバー板５、６を貫通するようにそれぞれの上縁辺近傍に孔４１を設け、前記孔４１に環状の開閉可能なカードリング４０を貫通させて、前記カバー板５、６又は前記日別カレンダー３、４をそれぞれ重ねた順にめくれるようにし、前記日めくりカレンダー部３０は、服薬日表示カード挿入袋部７及び薬袋挿入用袋部８を備えたＡ形態の日別カレンダー３と、前記服薬日表示カード挿入袋部７、服薬時間表示カード挿入袋部９及び前記薬袋挿入用袋部８を備えたＢ形態の日別カレンダー４との組み合わせから構成され、あるいは、前記Ｂ形態の日別カレンダー４のみから構成され、前記Ｂ形態の日別カレンダー４は、前記Ａ形態の日別カレンダー３より上下方向の長さを長くし、前記Ａ形態の日別カレンダー３の下縁辺より下方に長い領域に前記服薬時間表示カード挿入袋部９を設けるようにし、前記カバー板５、６の下縁辺を前記Ｂ形態の日別カレンダー４の下縁辺よりさらに下方に長くし、前記Ｂ形態の日別カレンダー４の下縁辺より下方に長い領域を前記日めくりカレンダー部３０を立設させる支持部材１０、１１、１２に挿入又は係止させる部位とすることを特徴とする。
【０００９】
請求項２に記載の卓上型日めくり服薬支援カレンダーセット２は、請求項１に記載の日めくり服薬支援カレンダー１を支持部材１０、１１、１２に立設させる卓上型日めくり服薬支援カレンダーセット２であって、前記支持部材が、前記表側及び裏側のカバー板５、６を側面視でハ字状にしたときに、前記表側及び裏側のカバー板５、６の下端部を挿入可能な、側面視で上端側に開口部を有するハ字状の傾斜溝部１５を形成させた第一の形態、前記表側及び裏側のカバー板５、６を側面視でハ字状にしたときに、前記表側及び裏側のカバー板５、６の下端部の滑動を係止するストッパー部１６を設けた第二の形態、又は、前記表側及び裏側のカバー板５，６を重ねて側面視で斜線状にしたときに、前記表側及び裏側のカバー板５、６の下端部を挿入可能な、側面視で上端側に開口部を有する斜線状の傾斜溝部１７を形成させた第三の形態であることを特徴とする。
【００１０】
請求項３に記載の卓上型日めくり服薬支援カレンダーセット２は、請求項２において、前記第一又は第三の形態の支持部材１０、１２の場合に、前記傾斜溝部１５、１７の底部の位置とベース部１８との間Ｌを上下方向で離隔させて空間部２０を設けたことを特徴とする。
【発明の効果】
【００１１】
請求項１に記載の日めくり服薬支援カレンダー１は、認知症患者は１週間分の薬を収納したカレンダーの場合は当日を勘違いして他の日の薬を服薬したり、服薬したことを覚えていなくて他の日の薬を余剰に服薬したりするケースがあるが、日めくりカレンダーにしたことにより他の日の薬を服薬しないという効果を奏する。さらに、壁掛け型では部屋の間取りや家具の配置等によって認知症患者が目にしやすい場所に必ずしもかけられないケースがあり、認知症患者が服薬支援カレンダーを見ないで薬の服薬時間を見逃すケースがあるが、食事をするテーブル又はいつもくつろぐテーブルの上に服薬支援カレンダーを置くことが可能な卓上型にしたことにより認知症患者の日常の行動の中で服薬支援カレンダーを目にしやすい環境づくりができたことにより薬の飲み忘れ及び薬の飲み過ぎを防止できるという効果を奏する。
【００１２】
また、日めくり服薬支援カレンダー１を外出時にカバン等に入れて持ち運びすることができるので、病院、薬局又は老人施設等に出かけるときも服薬を確実に実施することができるという効果を奏する。
【００１３】
前記カードリング４０を前記カバー板５、６又は前記日別カレンダー３、４のそれぞれの孔４１に貫通させているのでそれぞれ重ねた順である服薬日順に容易にめくることができ、前記カードリング４０は容易に開閉でき前記日別カレンダー３、４の挿入や取り出しが容易にできるので処方された服薬日数が７日や１４日や２１日であっても容易に前記日別カレンダー３、４の枚数を増減させることができる。通常は１４日分を処方されていた認知症患者が連休がある場合には２１日分が急に処方されることがあるが容易に対応できる。
【００１４】
前記日別カレンダー３、４は、可撓性を有する材料として布や、セルロイド等の薄厚のプラスチックを材料とするので繰り返し使用することができる。
【００１５】
請求項２に記載の卓上型日めくり服薬支援カレンダーセット２は、日めくり服薬支援カレンダー１を食事をするテーブル又はいつもくつろぐテーブルの上に安定した状態で載置ができるという効果を奏する。
【００１６】
請求項３に記載の卓上型日めくり服薬支援カレンダーセット２は、日めくり服薬支援カレンダー１の下方の空間部２０に、貼薬等を収納できるという効果を奏する。
【図面の簡単な説明】
【００１７】
【図１】本発明の日めくり服薬支援カレンダーの表側カバー板をめくった状態の正面図である。
【図２】本発明の支持部材が第一の形態の卓上型日めくり服薬支援カレンダーセットの正面図である。
【図３】図２の卓上型日めくり服薬支援カレンダーセットの各透明の袋に薬やカードを挿入した状態を示す図である。
【図４】本発明の支持部材が第一の形態で日別カレンダーはＡ形態とＢ形態の組合せを構成要素とする卓上型日めくり服薬支援カレンダーセットの右側面図である。
【図５】本発明の支持部材が第二の形態の卓上型日めくり服薬支援カレンダーセットの右側面図である。
【図６】本発明の支持部材が第三の形態の卓上型日めくり服薬支援カレンダーセットの右側面図である。
【図７】Ａ形態の日別カレンダーの正面図で、（ａ）が服薬日表示カード挿入袋部及び薬袋挿入用袋部を示した図で、（ｂ）が服薬日表示カードを挿入した状態を示す図である。
【図８】Ｂ形態の日別カレンダーの正面図で、（ａ）が服薬日表示カード挿入袋部、服薬時間表示カード挿入袋部及び薬袋挿入用袋部を示した図で、（ｂ）が服薬日表示カード並びに服薬時間表示カードを挿入した状態を示す図である。
【図９】硬質製部材からなる平板状のカバー板の正面図である。
【図１０】本発明の日めくり服薬支援カレンダーの表側カバー板をめくらない状態の正面図である。
【図１１】第一の形態の支持部材を示す図で、（ａ）が平面図であり、（ｂ）が正面図であり、（ｃ）が右側面図である。
【図１２】第二の形態の支持部材を示す図で、（ａ）が平面図であり、（ｂ）が正面図であり、（ｃ）が右側面図である。
【図１３】本発明の支持部材が第一の形態で日別カレンダーはＢ形態のみを構成要素とする卓上型日めくり服薬支援カレンダーセットの右側面図である。
【図１４】第三の形態の支持部材の右側面図である。
【発明を実施するための形態】
【００１８】
本発明の日めくり服薬支援カレンダー１は、認知症患者が決められた薬を決められたときに決められた量を服薬することを支援するカレンダーである。在宅で一人暮らしの認知症患者は、薬を服薬したことを忘れ、例えば今日の昼の薬を服薬していても他の日の昼の薬が見えたらその薬袋を取り出して余分に服薬してしまうという問題があり、また、壁掛け服薬カレンダーであると住居の構造や家具や窓の配置によっては壁掛けした位置が見えにくい場合があり、この場合には薬に気づかずに服薬を忘れてしまうという問題があった。
【００１９】
そこで、本発明者は認知症患者の行動を分析し、確実に服薬してもらうように支援するには、一日分の薬しか目に入らないようにするために日めくりカレンダーであること、及び、意図しなければ見えないような壁掛け型ではなく意図しなくても目に自然に入る位置である、食事やくつろぐときのテーブルの上に置ける卓上型にすることを考えて、本発明の日めくり服薬支援カレンダー１を想到した。
【００２０】
本発明の日めくり服薬支援カレンダー１は、図１に示すように、可撓性を有する平板状の日別カレンダー３、４を複数枚備えた日めくりカレンダー部３０と、前記日めくりカレンダー部３０の表側及び裏側にそれぞれ備えた硬質製部材からなる平板状のカバー板５、６と、を備え、重ねた前記日めくりカレンダー部３０及び前記カバー板５、６を貫通するようにそれぞれの上縁辺近傍に孔４１を設け、前記孔４１に環状の開閉可能なカードリング４０を貫通させて、前記カバー板５、６又は前記日別カレンダー３、４をそれぞれ重ねた順にめくれるようにし、前記日めくりカレンダー部３０は、服薬日表示カード挿入袋部７及び薬袋挿入用袋部８を備えたＡ形態の日別カレンダー３と、前記服薬日表示カード挿入袋部７、服薬時間表示カード挿入袋部９及び前記薬袋挿入用袋部８を備えたＢ形態の日別カレンダー４との組み合わせから構成され、あるいは、前記Ｂ形態の日別カレンダー４のみから構成され、前記Ｂ形態の日別カレンダー４は、前記Ａ形態の日別カレンダー３より上下方向の長さを長くし、前記Ａ形態の日別カレンダー３の下縁辺より下方に長い領域に前記服薬時間表示カード挿入袋部９を設けるようにし、前記カバー板５、６の下縁辺を前記Ｂ形態の日別カレンダー４の下縁辺よりさらに下方に長くし、前記Ｂ形態の日別カレンダー４の下縁辺より下方に長い領域を前記日めくりカレンダー部３０を立設させる支持部材１０、１１、１２に挿入又は係止させる部位とするとしている。
【００２１】
前記Ａ形態の日別カレンダー３は、図７（ａ）に示すように、一日単位の布製やセルロイド等の樹脂製の可撓性を有する平板の形態をしており、上縁辺近傍に環状の開閉可能なカードリング貫通用の孔４１を設け、服薬日表示カード挿入袋部７及び薬袋挿入用袋部８を備えている。前記服薬日表示カード挿入袋部７は、例えば上側、左側又は右側に服薬する「日にち」又は服薬する「曜日」を記載したシート状のカードをそれぞれ挿入する２つの透明な上側及び左右側の内の任意の一辺を開口させた、服薬日表示カードを挿入する袋を上下方向又は左右方向に並設している。服薬する「日にち」及び服薬する「曜日」を１枚のカードに表示して服薬日表示カードを挿入する袋を一つにしてもよい。また、前記薬袋挿入用袋部８は、例えば左右方向に並設した朝用、昼用、夜用及び寝る前用の薬袋挿入用の４つの透明な上側を開口させた薬袋５０を挿入する袋を備えている。薬袋５０を挿入する袋の数は、朝用、昼用及び夜用の３つの場合もあり、処方によって適宜設定する。
【００２２】
そして、前記服薬日表示カード挿入袋部７や前記薬袋挿入用袋部８には、図３や図７（ｂ）に示すように、例えば「日にち」の袋に１０日を示す「１０」を記載したカードを挿入し、「曜日」の袋に月曜日を示す「月」を記載したカードを挿入する。これを、処方箋をもらった期間に該当する日数分準備する。そして、図３に示すように、服薬年月日と服薬時を表面に印字した薬袋５０を、朝用、昼用、夜用及び寝る前用の薬袋挿入用袋部８にそれぞれ該当する個所に挿入する。これらの行為は、薬局やケアマネジャー等の支援をされる方に行ってもらう。
【００２３】
次に、前記Ｂ形態の日別カレンダー４は、図８（ａ）に示すように、一日単位の布製やセルロイド等の樹脂製の可撓性を有する平板の形態をしており、上縁辺近傍に環状の開閉可能なカードリング貫通用の孔４１を設け、前記服薬日表示カード挿入袋部７、服薬時間表示カード挿入袋部９及び前記薬袋挿入用袋部８を備えている。前記服薬日表示カード挿入袋部７及び前記薬袋挿入用袋部８は前記Ａ形態の日別カレンダー３の場合と同じである。前記服薬時間表示カード挿入袋部９は、例えば前記薬袋挿入用袋部８の下方に、それぞれ該当する朝、昼、夜、寝る前の服薬時間を表示したカードを挿入する４つの透明な上側及び左右側の内の任意の一辺を開口させた袋を設けている。
【００２４】
そして、前記Ｂ形態の日別カレンダー４は、Ａ形態の日別カレンダー３より上下方向の長さを長くし、Ａ形態の日別カレンダー３の下縁辺より下方に長い領域であって前記薬袋挿入用袋部８の下方に服薬時間表示カード挿入袋部９を備えている。
【００２５】
前記服薬日表示カード挿入袋部７や前記薬袋挿入用袋部８には、図３や図８（ｂ）に示すように、例えば「日にち」の袋に１０日を示す「１０」を記載したシート状のカードを挿入し、「曜日」の袋に月曜日を示す「月」を記載したシート状のカードを挿入する。そして、図３や図８（ｂ）に示すように、例えば、４つの透明な上側及び左右側の内の任意の一辺を開口させた服薬時間表示カード挿入袋部９に、「あさ」、「ひる」、「よる」及び「ねる前」の服薬時間表示カードを挿入する。この行為も薬局やケアマネジャー等の支援をされる方に行ってもらう。
【００２６】
前記日めくりカレンダー部３０は、図１３に示すように、Ｂ形態の日別カレンダー４のみから構成されたり、又は、図４に示すように、処方してもらった服薬の最終日服薬の分の薬袋をセットしたＢ形態の日別カレンダー４と、それより前日までの服薬の分の薬袋をセットしたＡ形態の日別カレンダー３との組合せなどの形態がある。いずれであっても前記日めくりカレンダー部３０には、服薬時間がわかりやすいＢ形態の日別カレンダー４が少なくとも１日分備えられていればよい。
【００２７】
次に、前記カバー板５、６は、図４〜図６に示すように、前記日めくりカレンダー部３０の表側及び裏側にそれぞれ設けており、例えばプラスチック等の樹脂製、金属製又は非金属製の硬質製の平板状の形態をしている。そして、図９に示すように、上縁辺近傍に環状の開閉可能なカードリング貫通用の孔４１を設け、図１〜図６及び図１０に示すように、カバー板５、６の下縁辺を前記Ｂ形態の日別カレンダー４の下縁辺よりさらに下方に長くしている。
【００２８】
前記カバー板５、６は、図４〜図６に示すように、日めくり服薬支援カレンダー１を卓上型にするために日めくり服薬支援カレンダー１を立てたときに背後から支える機能を有し、前記Ｂ形態の日別カレンダー４の下縁辺よりさらに下方に長くした範囲が支持部材１０、１１、１２に挿入又は当接させる部分となる。
【００２９】
次に、前記カードリング４０は、金属製、非金属製又は硬質の樹脂製で、環状であり、環状の一部が開閉可能である。開の状態で重ねた前記カバー板５、６や前記日別カレンダー３、４のそれぞれの孔４１を貫通させ、閉の状態にして前記カバー板５、６や前記日別カレンダー３、４を重ねた順であり服薬日順にめくれるようにしている。前記環状は真円状であっても楕円状であってもよい。
【００３０】
次に、卓上型日めくり服薬支援カレンダーセット２は、前記日めくり服薬支援カレンダー１を支持部材１０、１１、１２に立設させる卓上型日めくり服薬支援カレンダーセット２であって、前記支持部材が、図１１（ａ）〜（ｃ）に示すように、前記表側及び裏側のカバー板５、６を側面視でハ字状にしたときに、図１１（ｃ）に示すように前記表側及び裏側のカバー板５、６の下端部を挿入可能な、側面視で上端側に開口部を有するハ字状の傾斜溝部１５を形成させた第一の形態、前記表側及び裏側のカバー板５、６を側面視でハ字状にしたときに、図１２（ａ）〜（ｃ）に示すように、前記表側及び裏側のカバー板５、６の下端部の滑動を係止するストッパー部１６を設けた第二の形態、又は、前記表側及び裏側のカバー板５、６を重ねて側面視で斜線状にしたときに、図６に示すように前記表側及び裏側のカバー板５、６の下端部を挿入可能な、側面視で上端側に開口部を有する斜線状の傾斜溝部１７を形成させた第三の形態がある。
【００３１】
そして、卓上型日めくり服薬支援カレンダーセット２は、前記第一又は第三の形態の支持部材１０、１２の場合に、図２〜図４及び図６に示すように、前記傾斜溝部１５、１７の底部の位置とベース部１８との間Ｌを上下方向で離隔させて空間部２０を設けている。この空間部２０には、塗薬や湿布やバンソウコウ等の外用薬を置くことができる。
【００３２】
前記第一の形態の支持部材１０を使用した卓上型日めくり服薬支援カレンダーセット２の例を図２から図４に示し、前記第二の形態の支持部材１１を使用した卓上型日めくり服薬支援カレンダーセット２の例を図５に示し、前記第三の形態の支持部材１２を使用した卓上型日めくり服薬支援カレンダーセット２の例を図６に示している。
【００３３】
第一の形態の支持部材１０は、図１１（ａ）〜（ｃ）に示すように、側壁２１やベース部１８から構成され、プラスチック等の樹脂製、金属製又は非金属製の硬質製であって、前記表側及び裏側のカバー板５、６の下端部を挿入可能な、側面視で上端側に開口部を有するハ字状の傾斜溝部１５を形成させている。前記側壁２１と前記ベース部１８は一体成形してもよいし、前記側壁２１と前記ベース部１８とを継手やボルトナット等による締結手段で固定してもよい。
【００３４】
第二の形態の支持部材１１は、図１２（ａ）〜（ｃ）に示すように、ベース部１９を構成要素とし、前記表側及び裏側のカバー板５、６の下端部の滑動を係止するストッパー部１６を設けている。前記ストッパー部１６を複数設けることによって前記ストッパー部１６を選択することにより日めくり服薬支援カレンダー１の傾斜を選択し認知症患者等の服薬者が見えやすい傾斜にすることができる。前記ストッパー部１６と前記ベース部１９は一体成形してもよいし、前記ストッパー部１６と前記ベース部１９とを接着剤で接着させて固定してもよい。
【００３５】
第三の形態の支持部材１２は、側壁２２やベース部１８から構成され、プラスチック等の樹脂製、
金属製又は非金属製の硬質製であって、図６又は図１４に示すように、前記第一の形態の支持部材１０とはベース部１８は同じで側壁２２が異なっており、前記表側及び裏側のカバー板５、６の下端部を挿入可能な、側面視で上端側に開口部を有する一本の斜線状の傾斜溝部１７を側壁２２に形成させている。この場合は、裏側のカバー板６で日めくりカレンダー部３０を支持できるので表側のカバー板５は板厚を薄くすることができる。前記側壁２２と前記ベース部１８は一体成形してもよいし、前記側壁２２と前記ベース部１８とを継手やボルトナット等による締結手段で固定してもよい。
【００３６】
前記日めくり服薬支援カレンダー１は、前記支持部材１０、１１、１２とは分離させているので、在宅時には前記日めくり服薬支援カレンダー１を前記支持部材１０、１１、１２に支持させて卓上型にした使用ができるし、外出時には前記日めくり服薬支援カレンダー１を前記支持部材１０、１１、１２から隔離させて携帯型にして持参することが容易にできる。
【符号の説明】
【００３７】
１          日めくり服薬支援カレンダー
２          卓上式日めくり服薬支援カレンダーセット
３          日別カレンダー
４          日別カレンダー
５          カバー板
６          カバー板
７          服薬日表示カード挿入袋部
８          薬袋挿入用袋部
９          服薬時間表示カード挿入袋部
１０        支持部材
１１        支持部材
１２        支持部材
１５        傾斜溝部
１６        ストッパー部
１７        傾斜溝部
１８        ベース部
１９        ベース部
２０        空間部
２１        側壁
２２        側壁
３０        日めくりカレンダー部
４０        カードリング
４１        孔
５０        薬袋
Ｌ          間
【図１】
2018196969.tif 000003
【図２】
2018196969.tif 000004
【図３】
2018196969.tif 000005
【図４】
2018196969.tif 000006
【図５】
2018196969.tif 000007
【図６】
2018196969.tif 000008
【図７】
2018196969.tif 000009
【図８】
2018196969.tif 000010
【図９】
2018196969.tif 000011
【図１０】
2018196969.tif 000012
【図１１】
2018196969.tif 000013
【図１２】
2018196969.tif 000014
【図１３】
2018196969.tif 000015
【図１４】
2018196969.tif 000016